(57)【特許請求の範囲】
【請求項１】
正常状態の検出によりオンになり異常状態の検出によりオフになる異常検出スイッチ手段Ｔｈと、通電時に第１オフ接点Ｘａをオフにすると共に非通電時に第１オフ接点Ｘａをオンにする第１リレー手段Ｘと、通電時に一定時間遅れて第２オフ接点Y1ａおよび第３オフ接点Y2ａをオフにすると共に非通電時に第２オフ接点Y1ａおよび第３オフ接点Y2ａをオンにする第２リレー手段odＹとを具備し、前記第２オフ接点Y1ａと前記異常検出スイッチＴｈと前記第１リレー手段Ｘが第１直列回路を構成しており、前記第１直列回路が電源に接続され、前記第２リレー手段odＹと前記第１オフ接点Ｘａが第２直列回路を構成しており、前記第２直列回路が電源に接続され、前記第３オフ接点Y2ａを介して負荷に電力を供給することを特徴とする電源制御回路１００。
【発明の詳細な説明】
【０００１】
【発明の属する技術分野】
本発明は、電源制御回路に関し、さらに詳しくは、障害が解消されないうちに異常検出スイッチがオンに戻ってしまっても負荷へ電力が自動的に再供給されないようにした電源制御回路に関する。
【０００２】
【従来の技術】
図８に、正常状態を検出してオンになり異常状態を検出してオフになる異常検出スイッチを利用した従来の電源制御回路の一例を示す。
この電源制御回路５００は、温度，圧力，電圧，電流などの物理量が正常状態にあることを検出してオンになると共に異常状態にあることを検出してオフになる異常検出スイッチＴｈと、通電時に第１オン接点Ｘｂをオンにすると共に非通電時に第１オン接点Ｘｂをオフにする第１リレー手段Ｘとを具備してなり、前記異常検出スイッチＴｈと前記第１リレー手段Ｘが直列回路を構成しており、該直列回路が電源に接続され、前記第１オン接点Ｘｂを介して負荷に電力を供給する構成になっている。
【０００３】
図９に示すように、正常状態を検出して異常検出スイッチＴｈがオンになっているときに操作者が電源スイッチｐｗをオンにすると、異常検出スイッチＴｈを介して第１リレー手段Ｘが通電されるため、第１オン接点Ｘｂがオンになり、負荷に電力が供給される。
【０００４】
図１０に示すように、異常状態を検出して異常検出スイッチＴｈがオフになると、第１リレー手段Ｘが通電されなくなるため、第１オン接点Ｘｂがオフになり、負荷に電力が供給されなくなる。
【０００５】
【発明が解決しようとする課題】
上記従来の電源制御回路５００では、例えば、負荷温度が限界値より低温である状態を正常状態として異常検出スイッチＴｈで検出し、負荷温度が限界値より高温である状態を正常状態として異常検出スイッチＴｈで検出するようにしておくと、何らかの障害により負荷温度が限界値を越えると、負荷への電力供給が断たれるため、負荷を保護できることになる。なお、このような異常検出スイッチＴｈの例としては、サーミスタ・スイッチが挙げられる。
【０００６】
しかし、負荷への電力供給が断たれて負荷温度が下がり、障害が解消されないうちに異常検出スイッチＴｈがオンに戻ってしまうと、負荷へ電力が自動的に再供給されてしまう問題点がある。
そこで、本発明の目的は、障害が解消されないうちに異常検出スイッチがオンに戻ってしまっても負荷へ電力が自動的に再供給されないようにした電源制御回路を提供することにある。
【０００７】
【課題を解決するための手段】
第１の観点では、本発明は、正常状態の検出によりオンになり異常状態の検出によりオフになる異常検出スイッチ手段Ｔｈと、通電時に第１オフ接点Ｘａをオフにすると共に非通電時に第１オフ接点Ｘａをオンにする第１リレー手段Ｘと、通電時に一定時間遅れて第２オフ接点Y1ａおよび第３オフ接点Y2ａをオフにすると共に非通電時に第２オフ接点Y1ａおよび第３オフ接点Y2ａをオンにする第２リレー手段odＹとを具備し、前記第２オフ接点Y1ａと前記異常検出スイッチＴｈと前記第１リレー手段Ｘが第１直列回路を構成しており、前記第１直列回路が電源に接続され、前記第２リレー手段odＹと前記第１オフ接点Ｘａが第２直列回路を構成しており、前記第２直列回路が電源に接続され、前記第３オフ接点Y2ａを介して負荷に電力を供給することを特徴とする電源制御回路１００を提供する。
【０００８】
上記第１の観点による電源制御回路では、正常状態で電源スイッチをオンにすると、第２オフ接点Y1ａおよび異常検出スイッチＴｈを介して第１リレー手段Ｘが通電されるため第１オフ接点Ｘａがオフになり、第２リレー手段odＹは非通電となり、第３オフ接点Y2ａを介して負荷に電力が供給される。電源スイッチをオンにした瞬間は第２リレー手段odＹにも通電されるが、第２オフ接点Y1ａがオフになるのに一定時間（例えば１秒間）遅れるため、第２オフ接点Y1ａがオフになる前に第１オフ接点Ｘａがオフになり、結果的に第２リレー手段odＹは非通電のままとなる。
【０００９】
異常状態を検出して異常検出スイッチＴｈがオフになると、第１リレー手段Ｘが通電されなくなるため、第１オフ接点Ｘａがオンになり、第１オフ接点Ｘａを介して第２リレー手段odＹが通電されるため、第３オフ接点Y2ａがオフになり、負荷に電力が供給されなくなる。
【００１０】
障害が解消されないうちに異常検出スイッチＴｈがオンに戻ってしまっても、第２オフ接点Y1ａがオフであるため、第１リレー手段Ｘが非通電のままとなり、第１オフ接点Ｘａがオンのままとなり、第２リレー手段odＹが通電され続けるため、第３オフ接点Y2ａがオフのままとなり、負荷に電力が自動的に再供給されることはない。
【００１１】
操作者が電源スイッチを一旦オフにし、異常検出スイッチＴｈがオンに戻り且つ障害を解消した後、操作者が電源スイッチをオンにすると、負荷へ電力を再供給できる。
【００１２】
【発明の実施の形態】
以下、図に示す実施の形態により本発明を詳細に説明する。なお、これにより本発明が限定されるものではない。
【００１３】
図１は、本発明の一実施形態に係る電源制御回路１００を示す構成図である。
この電源制御回路１００は、正常状態の検出によりオンになり異常状態の検出によりオフになる異常検出スイッチＴｈと、通電時に第１オフ接点Ｘａをオフにすると共に非通電時に第１オフ接点Ｘａをオンにする第１リレーＸと、通電時に１秒間遅れて第２オフ接点Y1ａおよび第３オフ接点Y2ａをオフにすると共に非通電時に第２オフ接点Y1ａおよび第３オフ接点Y2ａをオンにする第２リレーodＹとを具備している。
前記第２オフ接点Y1ａと異常検出スイッチＴｈと第１リレーＸが第１直列回路を構成しており、該第１直列回路は電源に接続されている。
前記第２リレー手段odＹと第１オフ接点Ｘａが第２直列回路を構成しており、該第２直列回路は電源に接続されている。
前記第３オフ接点Y2ａを介して、負荷に電力が供給される。
【００１４】
また、電源制御回路１００は、前記第１リレーＸにより通電時にオンにされると共に非通電時にオフにされる第１オン接点Ｘｂを具備している。
前記第１オン接点Ｘｂは、前記第２オフ接点Y1ａと並列に接続されている。
【００１５】
さらに、電源制御回路１００は、前記第２リレーodＹにより通電時に１秒間遅れてオンにされると共に非通電時にオフにされる第２オン接点Y1ｂと、異常時表示灯Ｌとを具備している。
前記第２オン接点Y1ｂと前記異常時表示灯Ｌとは第３直列回路を構成しており、該第３直列回路は電源に接続されている。
【００１６】
図２に示すように、正常状態を検出して異常検出スイッチＴｈがオンになっているときに操作者が電源スイッチｐｗをオンにすると、第２オフ接点Y1ａおよび異常検出スイッチＴｈを介して第１リレー手段Ｘが通電されるため、第１オフ接点Ｘａがオフになり、第２リレー手段odＹは非通電のままとなり、第３オフ接点Y2ａを介して負荷に電力が供給される。
なお、電源スイッチｐｗをオンにした瞬間は第２リレー手段odＹに通電されるが、第２オフ接点Y1ａがオフになるのに１秒間遅れるため、第２オフ接点Y1ａがオフになる前に第１オフ接点Ｘａがオフになり、結果的に第２リレー手段odＹは非通電のままとなる。
第１オン接点Ｘｂを第２オフ接点Y1ａと並列に接続しているのは、接点のチャタリングによる誤動作を避けるためである。
【００１７】
図３に示すように、異常状態を検出して異常検出スイッチＴｈがオフになると、第１リレー手段Ｘが通電されなくなるため、第１オフ接点Ｘａがオンに戻り、第２リレー手段odＹに通電される。すると、１秒後に、図４に示すように、第３オフ接点Y2ａがオフになり、負荷に電力が供給されなくなる。同時に、第２オフ接点Y2ａがオフになる。また、第２オン接点Y1ｂがオンになり、異常時表示灯Ｌが通電されて点灯する。
【００１８】
図５に示すように、障害が解消されないうちに異常検出スイッチＴｈがオンに戻ってしまっても、第１オン接点Ｘｂおよび第２オフ接点Y1ａがオフであるため、第１リレー手段Ｘが非通電のままとなり、第１オフ接点Ｘａがオンのままとなり、第２リレー手段odＹが通電され続けるため、第３オフ接点Y2ａがオフのままとなり、負荷に電力が自動的に再供給されることはない。
【００１９】
図６に示すように、操作者が電源スイッチｐｗを一旦オフにすると、第２リレー手段odＹが非通電になるため、第２オフ接点Y1ａおよび第３オフ接点Y2ａがオンに戻る。この状態から異常検出スイッチＴｈがオンに戻ると、図１の初期状態になる。そこで、障害を解消した後、操作者が電源スイッチｐｗをオンにすると、図２を参照して説明したように負荷へ電力を再供給できる。
【００２０】
図７は、図２の状態（負荷へ電力を供給している状態）で停電になった状態を示している。
第１リレー手段Ｘが非通電になるため、第１オフ接点Ｘａがオンに戻る。この状態で停電から復旧すると、図２の状態に自動的に戻り、負荷へ電力を自動的に再供給できる。
【００２１】
例えば、負荷が、ＭＲＩ（Magnetic Resonanse Imaging）装置のマグネットコイル（静磁場コイル）とする。また、異常検出スイッチＴｈが、マグネット温度が限界値より低温である状態を検出してオンとなり、マグネット温度が限界値より高温である状態を検出してオフになるサーミスタ・スイッチとする。
すると、何らかの障害によりマグネット温度が限界値を越えると、マグネットコイルへの電力供給が断たれるため、マグネットコイルを保護できる。
【００２２】
【発明の効果】
本発明の電源制御回路によれば、何らかの障害に起因する異常を検出した時に負荷への電力供給を停止し負荷を保護することが出来る。また、障害が解消されないうちに異常が検出されなくなっても負荷へ電力が自動的に再供給されることを防止できる。
【図面の簡単な説明】
【図１】本発明の一実施形態にかかる電源制御回路の電源オフ時の状態を示す構成図である。
【図２】本発明の一実施形態にかかる電源制御回路の電源オン時の状態を示す構成図である。
【図３】本発明の一実施形態にかかる電源制御回路の異常検出直後の状態を示す構成図である。
【図４】本発明の一実施形態にかかる電源制御回路の異常検出後の状態を示す構成図である。
【図５】本発明の一実施形態にかかる電源制御回路の異常検出後に正常を検出した状態を示す構成図である。
【図６】本発明の一実施形態にかかる電源制御回路の異常検出後に電源オフとした状態を示す構成図である。
【図７】本発明の一実施形態にかかる電源制御回路の停電時の状態を示す構成図である。
【図８】従来の電源制御回路の電源オフ時の状態を示す構成図である。
【図９】従来の電源制御回路の電源オン時の状態を示す構成図である。
【図１０】従来の電源制御回路の異常検出時の状態を示す構成図である。
【符号の説明】
Ｔｈ        異常検出スイッチ
Ｘ          第１リレー
Ｘａ        第１オフ接点
odＹ        第２リレー
Y1ａ        第２オフ接点
Y2ａ        第３オフ接点
１００      電源制御回路
【図１】
0004336463.tif 000002
【図２】
0004336463.tif 000003
【図３】
0004336463.tif 000004
【図４】
0004336463.tif 000005
【図５】
0004336463.tif 000006
【図６】
0004336463.tif 000007
【図７】
0004336463.tif 000008
【図８】
0004336463.tif 000009
【図９】
0004336463.tif 000010
【図１０】
0004336463.tif 000011